(57)【特許請求の範囲】
【請求項１】
粘着剤層を有するとともに、所定のラベルピッチごとに切取予定部が形成された帯状の台紙なしラベルをロール状に巻回したロール状台紙なしラベルと、
略長方形状の底板と、
前記底板の一側辺から立設した側板と、
前記側板に片持式に設けられ、前記ロール状台紙なしラベルを回転可能に保持するコの字状の軸と、コの字状の軸に摺動可能に設けられ、ロール状台紙なしラベルの幅方向に調節できる規制片と、を有する供給部と、
前記側板に片持式に中心軸が軸支され、前記ラベルピッチの整数倍の周面を有する割出ローラと、
前記側板に片持式に設けられた支点軸に回転可能にアームプレートが設けられ、このアームプレートに回転可能に設けられた前記台紙なしラベルを前記供給部から割出ローラに案内する案内ローラと、
前記台紙なしラベルを割出ローラの周面に剥離可能に仮着するとともに、割出ローラを回転しながら引き出し、切取予定部が切断部の先端に到達した時に、割出ローラを停止させるストッパ手段を設けたことを特徴とする台紙なしラベルのカッター装置。
【発明の詳細な説明】
【０００１】
【発明の属する技術分野】
本発明は、帯状の台紙なしラベルを手動で引き出して、所定のラベルピッチごとに一枚ずつ単葉のラベル片に切り取ることができる新規な台紙なしラベルのカッター装置に関する。
【０００２】
【従来の技術】
従来、帯状の台紙に複数のラベル片が所定間隔で仮着されたラベル連続体を一枚ずつ自動的にラベル片を台紙から剥離する剥離装置が当該技術分野では周知の技術である。
しかし、近年省資源に対応して台紙を無用にしてラベル片を連続的に形成した台紙なしラベルが用いられるようになってきた。かかる台紙なしラベルを所定のラベルピッチごとに切断部で切取って単葉のラベル片とする装置が無かった。
【０００３】
【発明が解決しようとする課題】
本発明は上述の問題に鑑み、手動で引き出される帯状の台紙なしラベルに形成される切断予定部を切断部の先端に到達した特に、台紙なしラベルを停止させるようにするとともに、構造が簡易で移動容易な台紙なしラベルのカッター装置を提供する。
【０００４】
【課題を解決するための手段】
本発明は、引き出される台紙なしラベルの所定のラベルピッチで設けた切取予定部を確実に切断部の先端で停止させることに着目したもので、粘着剤層を有するとともに、所定のラベルピッチごとに切取予定部が形成された帯状の台紙なしラベルをロール状に巻回したロール状台紙なしラベルと、略長方形状の底板と、前記底板の一側辺から立設した側板と、前記側板に片持式に設けられ、前記ロール状台紙なしラベルを回転可能に保持するコの字状の軸と、コの字状の軸に摺動可能に設けられ、ロール状台紙なしラベルの幅方向に調節できる規制片と、を有する供給部と、前記側板に片持式に中心軸が軸支され、前記ラベルピッチの整数倍の周面を有する割出ローラと、前記側板に片持式に設けられた支点軸に回転可能にアームプレートが設けられ、このアームプレートに回転可能に設けられた前記台紙なしラベルを前記供給部から割出ローラに案内する案内ローラと、前記台紙なしラベルを割出ローラの周面に剥離可能に仮着するとともに、割出ローラを回転しながら引き出し、切取予定部が切断部の先端に到達した時に、割出ローラを停止させるストッパ手段を設けたことを特徴とする台紙なしラベルのカッター装置である。
【０００５】
上記カッター装置の割出ローラは、ラベルピッチの整数倍の円周を有する円柱状のローラであることができる。
【０００６】
上記カッター装置の割出ローラは、ラベルピッチの整数倍の多角形のローラであることができる。
【０００７】
上記カッター装置の帯状の台紙なしラベルに形成した切取予定部は、ミシン目であることができる。
【０００８】
上記カッター装置の切断部は、帯状の台紙なしラベルの移送方向に調節可能であることができる。
【０００９】
上記カッター装置の割出ローラの周面は、凹凸状の形状を有することができる。
【００１０】
上記カッター装置の割出ローラの周面には剥離剤を施してあることを特徴とする。
【００１１】
従って、帯状の台紙なしラベルを手動で引き出し、予めラベルピッチごとに形成された切取予定部が切断部の先端に到達した時に、台紙なしラベルの移送を抑制して停止させるようにしたので、所定のラベルピッチごとに設けた切断予定部で切断でき、構造が簡易で移動および携帯の利便性が向上する。
【００１２】
【発明の実施の形態】
本発明の実施の形態を図１乃至図７に基づいて説明する。
図７は帯状の台紙なしラベル３１をロール状に巻回したロール状台紙なしラベル３５である。
帯状の台紙なしラベル３１は、一方の面に感圧性粘着剤などの粘着剤層を塗布した粘着面３３を有し、他方の面には印字可能な印字面３２を有しており、粘着面３３を内側にしてロール状に巻回してある。
台紙なしラベル３１は、所定のラベルピッチＰごとに台紙なしラベル３１の幅方向に容易に切取可能なミシン目３４（切断予定部）が形成され、このミシン目３４を介してラベル片Ｌが連続的に形成されている。
台紙なしラベル３１は、紙、合成紙或いは可撓性のフィルムなど必要に応じて採用することができる。
【００１３】
台紙なしラベルのカッター装置１は、図１および図２に示す如く、略長方形状の底板２９と底板２９の一側辺から立設した側板２８とから形成されるとともに、側板２８には供給部２、案内部３、割出部４、切断部５が設けられている。
供給部２は、ロール状台紙なしラベル３５を回転可能に保持するコ字状の軸７が側板２８に片持式に設けられるとともに、規制片９を有している。
規制片９は、コ字状の軸７に設けられた長孔部２３に沿って摺動可能に設けられ、ロール台紙なしラベル３５の幅方向に調整できるよう設けられている。
【００１４】
案内部３は、側板２８に設けられた支点軸１０の軸回り、すなわち側板２８に沿って回動するアームプレート１１が設けられ、このアームプレート１１に台紙なしラベル３１を案内する案内ローラ１２が回転可能に設けられているとともに、操作ツマミ２４が回転可能に設けられている。
また、アームプレート１１に係合プレート１３が設けられているとともに、この係合プレート１３には、後述する回動プレート６に係合する切欠部１３ａが形成されている。
【００１５】
割出部４には、図１乃至図４に示す如く、側板２８に片持式に中心軸２６が軸止されるとともに、この中心軸２６に割出ユニット８が遊嵌されている。
割出ユニット８は、円柱状の割出ローラ１４と円形状の割出プレート２７とから構成され、割出ローラ１４の一側面に形成された孔部（図示せず）と、割出プレート２７の一側面に設けたピン（図示せず）とが嵌合して一体形成されている。
【００１６】
中心軸２６の開放端には、雄ネジ孔が形成されており、雌ネジ孔を有する固定ネジ２５回転操作して設けて、割出ユニット８を抜けないようにするものである。割出ユニット８をは所定の位置より奥側方向すなわち側板方向にずれないようになっている。
また、割出プレート２７は、割出ローラ１４から嵌脱するように形成されるようにしてもよい。
そして、割出ローラ１４の周面である円周面は、ラベルピッチＰの整数倍の円周を有するもので、本実施の形態ではラベルピッチＰの４倍の周面を有しており、単葉のラベル片Ｌの４枚分に相当するものである。
【００１７】
さらに、割出ローラ１４の円周面には、台紙なしラベル３１の粘着剤が密着しないように凹凸状の形状を有しており、剥離可能に仮着されるようにしてあるとともに、割出ローラ１４の両側縁部には、台紙なしラベル３１がはみ出さないように、円周に沿ってガイド板が設けてある。
また、割出プレート２７の円周面には、ラベルピッチＰの４枚分に相当するＵ字溝部２７ａが円周に沿って４カ所均等の間隔で設けられている。
【００１８】
割出部４の側板側２８には、ストッパ手段としての細長方形状の係止プレート２０が設けられ、その先端部が割出プレート２７の円囲面に沿って摺動可能な係止部２１を形成してある。この係止部２１は、Ｕ字状の形状を形成され割出プレート２７のＵ字溝部２７ａに嵌合することにより、回転する割出ローラ１４が抑制され停止するようになっている。
また、切断手段５としてのカッター刃１５が簡易カッター装置１の先端部に設けられ、カッター刃１５の先端で台紙なしラベル３１に形成したミシン目３４から切断するようになっている。
【００１９】
台紙なしラベルのカッター装置１の低板２９の略中央部には、固定プレート１６が植立されるとともに、固定プレート１６の上部に設けられた支点軸１６ａを介して回動可能に回動プレート６が設けられている。
回動プレート６は、常時右旋習性するようにコイルスプリング１９が設けられているとともに、上面から押圧可能な押圧面１７を有している。
さらに、回動プレート６には、前述した係合プレート１３に設けた切欠部１３ａと係合する係合軸１８が設けられており、操作ツマミ２４を反時計方向に操作して、案内ローラ１２を下げることにより切欠部１３ａと係合軸１８が係合して固定される。また、押圧面１７を押すことにより係合部分が外れて、案内ローラ１２が回動するようになっている。
台紙なしラベルのカッター装置１の低板２９は、重量のある材質を用いているので、容易に転倒しないものである。
【００２０】
このように構成した、台紙なしラベルのカッター装置１の動作について説明する。
案内ローラ１２を略垂直状態に回動させて、ロール状台紙なしラベル３５を供給部２に装填し、このロール状台紙なしラベル３５のラベルピッチＰの４倍に相当する周面を有する割出ローラ１４を割出ユニット８を中心軸２６に遊嵌し、固定ツマミ２５を中心軸２６の開放端に回転操作して設ける。この時、割出プレート２７の円周面に係止プレート２０の先端部である係止部２１が、Ｕ字溝部２７ａに係止するようにセットする。
【００２１】
次に、ロール状台紙なしラベル３５の先端部を引き出した台紙なしラベル３１は、切断予定部であるミシン目３４をカッター刃１５の先端に一致させた状態で、案内ローラ１２を反時計方向に回動させて、台紙なしラベル３１の表面に当接させながら、係合プレート１３の切欠部１３ａが回動プレート６の係合軸１８に係合させる。
この時に、台紙なしラベル３１は割出ローラ１４の円周面の一部に剥離可能に仮着される。（図１参照）
そして、カッター刃１５の先端で一致されていた台紙なしラベル３１を押し下げてミシン目３４部分から切り取る。
【００２２】
ラベル片Ｌを必要な時は、カッター刃１５に仮着してある台紙なしラベル３１を持ち上げて、稍力を入れて手動で引き出すことにより、割出ローラ１４が回転しながらの円周面の一部に台紙なしラベル３１が仮着しながら移送される。
割出ローラ１４が回転することにより、同期して割出プレート２７が回転するのでＵ字溝部２７ａに嵌合していた係止部２１が外れて次のＵ字溝部２７ａに係止部２１が嵌合し、回転力が抑制され回転が停止する。この時、台紙なしラベル３１のミシン目３４がカッター刃１５の先端にあるので、台紙なしラベル３１を下に押し下げることによりミシン目３１部分より容易に切り取りでき、単葉のラベル片Ｌを得ることができ、所望の商品等に貼付できる。
【００２３】
このように、ラベルピッチＰの整数倍である４倍の円周面を有する割出ローラ１４を設け、その整数倍である４カ所のＵ字溝部２７ａを割出プレート２７に設けたので、手動で所定のラベルピッチＰごとに台紙なしラベル３１を切断して、単葉のラベル片Ｌとすることができるとともに、手動にすることにより装置の複雑化を防止して、装置の移動および携帯の利便性が向上し、かつコストの低減を図ることができる。
割出ローラ１４の周面には、シリコーンなどの剥離剤を施してもよく、また切断部５には、台紙なしラベル３１の移送方向に調整可能にしてあってもよい。
【００２４】
図６は他の形状を示した割出ユニット３０の斜視図ある。この割出ユニット３０は、台紙なしラベル３１のラベルピッチＰに対応する平面を有する四角形状の割出ローラ３６であり、その表面をシリコーンなどの剥離処理を施されている。この割出ローラ３６に割出プレート２７が前述のように、割出ローラ３６の側面に嵌合して一体形成されている。また、割出プレート２７は割出ローラ３６と同期回転可能になっているとともに、割出プレート２７の周面に前述と同様に均等の間隔で、Ｕ字溝部２７ａが設けられている。
このような割出ユニット３０を台紙なしラベルのカッター装置１に装填しても前述のように台紙なしラベル３１をラベルピッチＰごとに切断することができる。また、割出ユニット３０は四角形状の割出ローラ３６としたが、ラベルピッチＰの整数倍の平面を有する多角形状の割出ローラであれば何れでも採用可能である。
【００２５】
なお、台紙なしラベルに切断予定部としてミシン目を形成した例を示したが、これに限定されるものでなく、切断予定部を目視可能なマーク或いは線などを印刷さしてもよく、このマーク或いは線をカッター刃１５の先端に一致させてセットすることによりマークの位置で切断できる。
本発明の台紙なしラベルのカッター装置の割出ローラは、ラベルピッチの４倍の周面を有するもので説明したが、ラベルピッチの整数倍を有するものであれば何れでも可能であり、またラベルピッチのピッチ幅によって、その整数倍の割出ローラを有する割出ユニットをカッター装置に装填するものである。
また、台紙なしラベルのカッター装置を携帯しない時は、駆動源を設けるとともに、検出センサーでＵ字溝部を検出させて台紙なしラベルを剥離させる半自動タイプにしてもよい。
【００２６】
【発明の効果】
以上詳細に説明したように、本発明の台紙なしラベルのカッター装置は、台紙なしラベルのラベルピッチごとに設けた切断予定部をカッター刃の先端に到達した時に、台紙なしラベルの移送を抑制して停止させるようにしたので、所定のラベルピッチごとに切断でき、かつ手動にすることによって機構が簡素で移動や携帯に利便性を発揮する優れた効果を奏するものである。
【図面の簡単な説明】
【図１】本発明の台紙なしラベルのカッター装置の概略側面図である。
【図２】本発明の台紙なしラベルのカッター装置の概略平面図である。
【図３】  割出ユニットを説明した斜視図である。
【図４】本発明の台紙なしラベルのカッター装置のセット前の説明図である。
【図５】本発明の台紙なしラベルのカッター装置のセット途中の説明図である。
【図６】他の割出ユニットを説明した斜視図である。
【図７】ロール状台紙なしラベルの斜視図である。
【符号の説明】
１      台紙なしラベルのカッター装置
２      供給部
３      案内部
４      割出部
５      切断手段
８      割出ユニット
１４      割出ローラ
１５      カッター刃
２０      係止プレート（ストッパ手段）
２７      割出プレート
２７ａ    Ｕ字溝部
３０      割出ユニット（他の形状を示した例）
３１      台紙なしラベル
３４      ミシン目（切断予定部）
Ｌ      ラベル片
Ｐ      ラベルピッチ
【図１】
0004040147.tif 000002
【図２】
0004040147.tif 000003
【図３】
0004040147.tif 000004
【図４】
0004040147.tif 000005
【図５】
0004040147.tif 000006
【図６】
0004040147.tif 000007
【図７】
0004040147.tif 000008